(57)【要約】      （修正有）【課題】構造が精巧簡潔で組み立て工程間を短縮でき、同時に耐衝撃及び耐酸アルカリ腐蝕性を向上するレーダー物液レベルメーターアンテナ構造を提供する。【解決手段】本体１１０、同軸線組１４０、インピーダンスアダプタ１６０及び接続部材２００を具え、本体は、収容空間１２０を設けて回路板部材１３０を設置し、同軸線組は、本体内に設置されて回路板部材と電気的に接続し、インピーダンスアダプタは、同軸線組と接続する。接続部材は、本体と一体に成型されて結合され、接続部材は、インピーダンスアダプタ及び同軸線組に被せ設けられ、且つ接続部材は、収容空間と連通する信号伝送空間２１２を設け、絶縁材質のアンテナスリーブ２２０を被せて密閉する。信号伝送空間を経由してインピーダンスアダプタから検出信号を発信し、反射信号を受信する。これらの構造により、組み立て工程時間を短縮し、耐久性、耐酸・アルカリ性を向上する。【選択図】図１
0003197798.tif 000002
【実用新案登録請求の範囲】
【請求項１】
被検出物に対して検出信号を発し、反射信号を受信するレーダー物液レベルメーターアンテナ構造であって、該アンテナ構造は、
収容空間を設けて該収容空間内に回路板部材を設置した本体と、
該本体内に設置され、該回路板部材と電気的に接続する同軸線組と、
該同軸線組と接続するインピーダンスアダプタと、
一体に成型されて該本体と結合した接続部材であって、該接続部材は、上記インピーダンスアダプタ及び上記同軸線組に被せ設けられ、且つ該接続部材は、上記収容空間と連通する信号伝送空間を設け、そのうち、該信号伝送空間を経て該インピーダンスアダプタに前記検出信号を発信させ、前記反射信号を受信させる接続部材と、
を具えるレーダー物液レベルメーターアンテナ構造。
【請求項２】
更に、アンテナスリーブを具え、該アンテナスリーブ内に前記接続部材に対応する套設空間を設け、該アンテナスリーブは、該接続部材を覆い、前記本体上に結合する、
請求項１に記載のアンテナ構造。
【請求項３】
前記アンテナスリーブは、前記信号伝送空間の延伸形状に対応して円錐状、円弧状又は平面状のいずれかである、請求項２に記載のアンテナ構造。
【請求項４】
更に、前記本体の収容空間内に設置された回路板部材と前記インピーダンスアダプタとに接続された同軸線組を覆うガイド筒を具えた、
請求項１に記載のアンテナ構造。
【請求項５】
前記収容空間及び前記信号伝送空間が同一軸線上に位置する請求項１に記載のアンテナ構造。
【請求項６】
前記信号伝送空間は、円錐状構造であり、該円錐状構造の開口は、前記インピーダンスアダプタから離れる方向へ徐々に大きくなる請求項１に記載のアンテナ構造。
【請求項７】
前記インピーダンスアダプタは、更に、軸方向限位器を具え、該軸方向限位器は、該インピーダンスアダプタに適合する通孔を設けて該インピーダンスアダプタを設置し、該インピーダンスアダプタは、管状本体を具え、該管状本体内に伝送端子及び該管状本体の一端に突出する伝送コネクタを設け、
該伝送端子、該伝送コネクタ及び該通孔は、互いに同一軸線に沿って順に配列される請求項１に記載のアンテナ構造。
【請求項８】
前記軸方向限位器は、更に、凹溝及び該凹溝に隣接して該軸方向限位器の底端に設置された係止壁を具え、前記インピーダンスアダプタは、該通孔に取り付けられて該係止壁に当接する請求項７に記載のアンテナ構造。
【請求項９】
前記管状本体の伝送コネクタに更に、位置決め構造を設けると共に前記軸方向限位器には位置決め凹溝を設け、該位置決め構造は、該軸方向限位器の該位置決め凹溝に位置決めされる請求項８に記載のアンテナ構造。
【請求項１０】
前記インピーダンスアダプタは、更に、極化標示符号を表示し、前記伝送端子は、該信号伝送空間方向へ向けて徐々に厚さが減少する階段状構造であり、該極化標示符号は、該階段状構造と同一側辺に位置して表示する請求項８に記載のアンテナ構造。
【考案の詳細な説明】
【技術分野】
【０００１】
本考案は、アンテナ構造に関し、特に、組み立て工程時間を短縮し、同時に耐性を向上するレーダー物液レベルメーターアンテナ構造に関する。
【背景技術】
【０００２】
現有のタンク等の収容槽中の物体又は液面の高さの測定は、超音波物体レベルメーター又はレーダー物体レベルメーターを該収容槽上端の槽壁に取り付け、超音波又はレーダー波の往復時間差を利用して物体又は液面の高さを計算する。レーダー物体レベルメーターは、超音波物体レベルメーターに比較し、精確な物体又は液面の高さを得ることができるので、レーダー物体レベルメーターは、各種粉体、固体又は液体等の位置検出場所に日増しに広く応用されるようになっている。
【０００３】
レーダー物液レベルメーターは、主に工業用、化工用、食品用及び農産食品用のタンク中で物液レベルの検測用に用いられ、主に、受発信回路及びアンテナの組み合わせからなるセンシング装置となっている。レーダー波物液レベルメーターの所在箇所は、何れも高温、高圧、粉塵、水に曝された環境又は酸・アルカリのある劣悪な環境に属する。無線周波数及びセンシング回路のジャンクションボックス内部の受発信回路が外部周囲の環境の干渉を受け、その電気機器の特性、センシング精度及びセンシング回路の寿命等に影響を及ぼすことを回避する為、理想的な密封効果を有する必要がある。さもなければ、受発信回路及びセンシング部材に対して不当な影響を及ぼし、センサが被検出物の反射信号を有効に受信することができないばかりでなく、更に、外部要因の信号干渉及び影響を受け、最適な信号品質を獲得することができない。
【０００４】
現有の強酸又は強アルカリ等の鉱業、化学工業の過酷な環境に応用する非接触式レーダー波物液レベルメーターは、構造が複雑であり、部品が多く、密封効果が良好でなく、組み立て工程時間が増加する。上記問題に鑑み、物液レベルメーターの耐酸アルカリ性を如何に向上させ、製品の歩留まりを向上するかについて、更に研究開発が必要とされ、可能な解決案が求められている。
【先行技術文献】
【特許文献】
【０００５】
【特許文献１】特開２０１４−９２４１７号公報
【特許文献２】特許第３４９９８７８号公報
【特許文献３】特表２００３−５０３７２５号公報
【考案の概要】
【考案が解決しようとする課題】
【０００６】
本考案の目的は、構造が精巧簡潔で組み立て工程間を短縮でき、同時に耐衝撃及び耐酸アルカリ腐蝕性を向上するレーダー物液レベルメーターアンテナ構造を提供することにある。
【課題を解決するための手段】
【０００７】
上記目的を達成する為、本考案が提供するレーダー物液レベルメーターアンテナ構造は、被検出物に対して検出信号を発し、反射信号を受信する。アンテナ構造は、本体、同軸線組、インピーダンスアダプタ及び接続部材を具える。本体は、収容空間及び収容空間内に設置される回路板部材を具え、同軸線組は、本体内に設置され、回路板部材と電気的に接続する。インピーダンスアダプタは、同軸線組と接続する。接続部材は、本体と一体に成型されて結合する。接続部材は、インピーダンスアダプタ及び同軸線組に被せ設けられ、且つ接続部材は、収容空間と連通する信号伝送空間を設け、そのうち、信号伝送空間は、インピーダンスアダプタに前記検出信号を発信させ、前記反射信号を受信させることができる。
【０００８】
好ましくは、更に、アンテナスリーブを具える。アンテナスリーブ内に接続部材に対応する套設空間を設け、且つアンテナスリーブは、アンテナ歯頭を覆い、本体に結合することができる。
【０００９】
好ましくは、インピーダンスアダプタは、更に、軸方向限位器を備える。軸方向限位器は、インピーダンスアダプタに適合する通孔を設けて該通孔内に設置する。インピーダンスアダプタは、好ましくは、管状本体である。管状本体内に伝送端子及び管状本体一端に突出する伝送コネクタを設置し、そのうち、伝送端子、伝送コネクタ及び通孔は、相互に同一軸線に沿って順に配列される。
【００１０】
好ましくは、軸方向限位器は、更に、凹溝及び係止壁を具え、係止壁は、凹溝に隣接し、軸方向限位器底端に設置され、インピーダンスアダプタは、通孔に取り付けられて係止壁に当接される。
【考案の効果】
【００１１】
本考案は、以下の効果を有する。
一体に成型された接続部材の一端は、インピーダンスアダプタに被せ設けられて本体に結合し、他端は、信号伝送空間が形成され、このようにして歩留まりを改善することができ、性能の一致性を向上し、組み立て工程時間を短縮する利点を有する。また、軸方向限位器を利用して緊密にインピーダンスアダプタに適合させ、無線周波数信号が動作周波数内で最大伝送性能を達成することができるように制御し、且つ直流高圧を隔離し、回路板部材が損害を受けないように保護することができる。
【図面の簡単な説明】
【００１２】
【図１】本考案のアンテナ構造全体の部分断面図である。
【図２】本考案のアンテナ構造のブロック説明図である。
【図３】図１の部分分解図である。
【図４Ａ】アンテナスリーブの延伸形状のもう１つの実施例図である。
【図４Ｂ】アンテナスリーブの延伸形状の更にもう１つの実施例図である。
【図５】本考案のインピーダンスアダプタの第１具体実施例の断面図である。
【図６】図５のアンテナ構造の分解断面図である。
【図７】本考案のインピーダンスアダプタの第２具体実施例の立体分解図である。
【図８】図７の組み合わせ断面図である。
【考案を実施するための形態】
【００１３】
本考案の詳細な説明及び技術内容について、以下に図面を合わせて説明するが、図面は、ただ参考及び説明用として提供するのみであり、本考案に対して制限を加えることに用いるものではない。
【００１４】
図１及び図２に示すように、本考案が提供するレーダー物液レベルメーターアンテナ構造１００は、被検出物２５０に対して検出信号Ｄを発し、反射信号Ｒを受信する。アンテナ構造１００は、本体１１０、同軸線組１４０、インピーダンスアダプタ１６０及び接続部材２００を具える。本体１１０は、収容空間１２０及び収容空間１２０内に設置される回路板部材１３０を有する。同軸線組１４０は、本体１１０内に設置され、回路板部材１３０と電気的に接続する。インピーダンスアダプタ１６０は、同軸線組１４０と電気的に接続する。接続部材２００は、本体１１０と一体に成型されて結合する。接続部材２００は、インピーダンスアダプタ１６０及び一部の同軸線組１４０に被せ設けられ、且つ接続部材２００は、収容空間１２０と連通する信号伝送空間２１２を設け、その信号伝送空間２１２は、インピーダンスアダプタ１６０に前記検出信号Ｄを発信させ、前記反射信号Ｒを受信させる。
【００１５】
図１に示すような実施例において、本体１１０の収容空間１２０内に設置するガイド筒１４０を具え、同軸線組１５０は、ガイド筒１４０を貫通し、その中に覆わせることができる。ここで記載の回路板部材１３０は、無線周波数回路板等のその他の適合する回路板を含む。併せて図２を参照し、前記検出信号Ｄの伝達経路は、それぞれ回路板部材１３０、同軸線組１５０、インピーダンスアダプタ１６０及び接続部材２００を経由して被検出物２５０に対して検出信号Ｄを発出する。被検出物２５０から前記反射信号Ｒを受信する伝達経路も同一である。
【００１６】
図３を同時に参照し、一体に形成（最適化）された接続部材２００は、更に、アンテナスリーブ２２０を含む。ここで記載する接続部材２００は、好ましくは、一端が歯頭部２１０であり、本体１１０とロックすることができ、他端は、信号伝送空間２１２を形成する延伸信号部２１６である。
更に、歯頭部２１０外表面に外ねじ山２０２及び凸縁２０６を設け、外ねじ山２０２を利用して本体１１０の内ねじ山１１２に螺合し、凸縁２０６を本体１１０に当接させる。図３に示すように、凸縁２０６一側は、更に、防水材２３０を設け、流体が本体１１０内に侵入することを防止する。アンテナスリーブ２２０内に接続部材２００（即ち、延伸信号部２１６）に対応する套設空間２２２を設け、延伸信号部２１６を套設空間２２２中に収容する。
【００１７】
また、好ましくは、フッ素樹脂又はその他の絶縁材質で形成されるアンテナスリーブ２２０は、その一端に接続部材２００の歯頭部２１０外ねじ山２０４に螺合する内ねじ山２２２を設けてアンテナスリーブ２２０を接続部材２００に螺合させ、本体１１０と当接させ、図１に示すように組み立てる。
従って、アンテナスリーブ２２０は、接続部材２００を完全に覆い、本体１１０上に結合することができ、アンテナ構造１００の耐衝撃性、耐酸アルカリ腐蝕性を向上し（即ち、耐性が良好である）、直流電気信号を阻隔し、本体１１０内の回路板部材１３０が損害を受けないように保護する利点を有する。
【００１８】
図３に示す実施例において、アンテナスリーブ２２０は、信号伝送空間２１２の延伸形状に対応して、前縁部分はその円錐状を含む。しかしながら、図４Ａに示す実施例において、アンテナスリーブ２２０の延伸形状は、円弧状であることもできる。図４Ｂに示す実施例のように、アンテナスリーブ２２０の延伸形状は、平面状等であることもでき、限定しない。
また、収容空間１２０及び信号伝送空間２１２は、好ましくは、同一軸線１８６上に位置する。信号伝送空間２１２は、好ましくは、円錐状構造２１４（又はラッパ状）であり、円錐状構造２１４の開口は、インピーダンスアダプタ１６０から離れる方向へ向けて徐々に大きくなり、電界分布（図示せず）を円錐状構造２１４に従って徐々に大きくさせることができる。
【００１９】
図５及び図６を同時に参照する。それは、本考案のインピーダンスアダプタの第１具体的実施例の断面及びその分解図である。インピーダンスアダプタ１６０は、好ましくは、接続部材２００一側内に螺合して固定し、同軸線組１４０の一端と電気的に接続する。インピーダンスアダプタ１６０は、更に、軸方向限位器１７０を含む。軸方向限位器１７０は、インピーダンスアダプタ１６０に適合する通孔１７２を設け、且つインピーダンスアダプタ１６０は、好ましくは、螺合の方式で軸方向限位器１７０の通孔１７２内に固定する。即ち、インピーダンスアダプタ１６０外表面に外ねじ山（図示せず）に設け、軸方向限位器１７０の通孔１７２内に内ねじ山（図示せず）を設けて相互に螺合する。
【００２０】
本実施例において、インピーダンスアダプタの管状本体１８０は、好ましくは、管状である。管状本体１８０内の一端に突出する伝送端子１８４及びこれに対応する伝送コネクタ１８２を設け、伝送端子１８４、伝送コネクタ１８２及び通孔１７２は、相互に軸線１８６に沿って順に配列される。即ち、伝送端子１８４一端は、伝送コネクタ１８２に挿入接続し、両者の中心線は、何れも上記軸線１８６上に位置する。図１を併せて参照して、伝送コネクタ１８２の一端は、同軸線組１４０の一端に電気接続し、前記検出及び反射信号を伝達する（図示せず）。
【００２１】
図５及び図６の実施例において、軸方向限位器１７０は、更に、凹溝１７４及び係止壁１７６を具える。係止壁１７６は、凹溝１７４に隣接して軸方向限位器１７０の底端に設置され、インピーダンスアダプタの管状本体１８０は、通孔１７２に螺合し、係止壁１７６上に当接定位する。
【００２２】
図７及び図８は、本考案のインピーダンスアダプタの第２具体実施例の立体分解図及びその断面図である。本実施例において、管状本体１８０の伝送コネクタ１８２は、更に、位置決め構造１９２、例えば、寸法が管状本体１８０外形より大きな凸縁を設ける。軸方向限位器１７０は、位置決め構造１９２に対応する位置決め凹溝１７８を設け、位置決め構造１９２を軸方向限位器１７０の位置決め凹溝１７８に位置決めすることができ、このように、管状本体１８０及び軸方向限位器１７０の適合関係を完成する。
【００２３】
また、図７に示すように、インピーダンスアダプタ１６０は、更に、極化標示符号１８８、例えば、シール又は刻印の方式で設けた三角形状を具え、且つインピーダンスアダプタ１６０の外表面上に設置される。しかしながら、その他の異なる実施例において、極化標示符号１８８は、本体１１０表面上に設置することもでき、制限しない。また、併せて、前記実施例を参考し、伝送端子１８４は、信号伝送空間２１２の方向へ徐々に厚さが減少する階段状構造１９０である。極化標示符号１８８は、好ましくは、階段状構造１９０と同一側辺上に位置する。
【００２４】
従って、本考案は、一体に成型される接続部材２００の一端がインピーダンスアダプタ１６０に被せ設けられ、本体１１０上に結合し、他端に信号伝送空間２１２を形成することにより、歩留まりを改善し、性能の一致性を向上し、組み立て工程時間を短縮する利点を有する。また、軸方向限位器１７０がインピーダンスアダプタ１６０に緊密に適合し、無線周波数信号が動作周波数内で最大伝送性能を達成できるように制御することができ、且つ直流高圧を隔離し、回路板部材１３０が損害を受けないように保護する。
【００２５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２６】
１００  アンテナ構造
１１０  本体
１１２，２２２  内ねじ山
１２０  収容空間
１３０  回路板部材
１４０  同軸線組
１５０  ガイド筒
１６０  インピーダンスアダプタ
１７０  軸方向限位器
１７２  通孔
１７４  凹溝
１７８  係止壁
１７８  位置決め凹溝
１８０  管状本体
１８２  伝送コネクタ
１８４  伝送端子
１８６  軸線
１８８  極化標示符号
１９０  階段状構造
１９２  位置決め構造
２００  接続部材
２０２，２０４  外ねじ山
２０６  凸縁
２１０  歯頭部
２１２  信号伝送空間
２１４  円錐状構造
２１６  延伸信号部
２２０  アンテナスリーブ
２２２  套設空間
２３０  防水材
２５０  被検出物
Ｄ  検出信号
Ｒ  反射信号
【図１】
0003197798.tif 000003
【図２】
0003197798.tif 000004
【図３】
0003197798.tif 000005
【図４Ａ】
0003197798.tif 000006
【図４Ｂ】
0003197798.tif 000007
【図５】
0003197798.tif 000008
【図６】
0003197798.tif 000009
【図７】
0003197798.tif 000010
【図８】
0003197798.tif 000011